(57)【要約】 【課題】  通常予想できない外部からの衝撃的な応力が加わっても、ガラス製シリンダの先端部にヒビが発生するのを可及的に防止する。【解決手段】  容器兼用注射器１は、ガラス製のシリンダ２の先端外周部に筒先３が、後端外周部にフィンガーグリップがそれぞれ嵌着されると共に、前記シリンダ２内に薬剤が充填されてストッパー５ａで封止されてなり、前記筒先３のシリンダ２に対する嵌着部９の外周に、シリンダ２の軸線に直交する方向に向け嵌着部９の外径より大径の環状のリブ１０が衝撃緩衝部として一体に形成された構成を備えている。【選択図】      図２
2006198143.tif 000002
【特許請求の範囲】
【請求項１】
ガラス製のシリンダの先端外周部に筒先が、後端外周部にフィンガーグリップがそれぞれ嵌着されると共に、前記シリンダ内に薬剤が充填されてストッパーで封止されてなる容器兼用注射器であって、
前記筒先の外周部には、シリンダに対する嵌着部の外径より大径とした衝撃緩和部が設けられていることを特徴とする容器兼用注射器。
【請求項２】
前記衝撃緩和部は、前記シリンダの軸線に直交する方向に向け前記嵌着部に一体に形成された環状のリブであることを特徴とする請求項１に記載の容器兼用注射器。
【請求項３】
前記環状のリブは、前記嵌着部の後端に位置して設けられていることを特徴とする請求項２に記載の容器兼用注射器。
【請求項４】
前記衝撃緩和部は、前記嵌着部に密着して被着された軟質の衝撃吸収性を有する合成樹脂材料で形成された円筒状カバーであることを特徴とする請求項１に記載の容器兼用注射器。
【請求項５】
前記衝撃緩和部は、前記嵌着部にその外周部との間に所定の隙間をあけて被着された硬質の合成樹脂材料で形成された円筒状カバーであることを特徴とする請求項１に記載の容器兼用注射器。
【請求項６】
前記円筒状カバーの両端部には、前記嵌着部の両端側においてその中心側に向けて環状フランジが設けられ、一方の環状フランジは内径が前記筒先の円筒部に嵌着し得る大きさとされた装着穴を有し、他方の環状フランジは前記一方のフランジ寄りの内径が前記嵌着部の外径より小さくされ、一方のフランジから離れた側の内径が前記嵌着部の外径より大きくされたテーパ状の挿通穴を有していることを特徴とする請求項５に記載の容器兼用注射器。
【発明の詳細な説明】
【技術分野】
【０００１】
本発明は、薬液を予め充填、保管しておき使用時に包装から取り出して直ぐに使用する容器兼用注射器に関するものである。
【背景技術】
【０００２】
ガラス製のシリンダの先端と後端にそれぞれ筒先とフィンガーグリップが嵌着され、かつ前記シリンダの内部に薬剤が充填されストッパーで封液されて提供される容器兼用注射器が知られている（例えば、特許文献１、特許文献２参照。）。
【特許文献１】特開平８−１４１０８１号公報
【特許文献２】特許平８−１４１０９１号公報
【発明の開示】
【発明が解決しようとする課題】
【０００３】
上記ガラス製のシリンダを有する容器兼用注射器においては、製薬メーカーで薬剤をシリンダに充填して包装された製品が、医療機関までの流通途上における取り扱いや医療現場で使用されるまでの取り扱いによって、主に外部からの衝撃的な応力が加わった場合に、希に筒先が嵌着された側のシリンダの端部（先端部）に僅かなヒビが入ることがある。  この現象は通常の取り扱いでは起きないものであり、容器兼用注射器はその基本的な強度に不足がなく、流通等における取り扱いによる外部からの力に対しても十分な包装を兼ね備えて提供されている。しかしながら、通常予想していないよう高所から包装ごと容器兼用注射器が落下された場合や、包装から取り出して薬剤の入った容器兼用注射器を取り扱いによって外部から衝撃を与えた場合には、ごく僅かな頻度ではあるが、前記のように、筒先が嵌着された側のシリンダの先端部にヒビが発生することがある。
【０００４】
本発明は、上記事情に鑑みてなされたものであって、通常予想できない外部からの衝撃的な応力が加わっても、ガラス製シリンダの先端部にヒビが発生するのを可及的に防止することができる容器兼用注射器を提供することを目的とする。
【課題を解決するための手段】
【０００５】
本発明は、前記課題を解決するために、以下の点を特徴としている。
すなわち、請求項１に係る容器兼用注射器は、ガラス製のシリンダの先端外周部に筒先が、後端外周部にフィンガーグリップがそれぞれ嵌着されると共に、前記シリンダ内に薬剤が充填されてストッパーで封止されてなる容器兼用注射器であって、
前記筒先の外周部には、シリンダに対する嵌着部の外径より大径とした衝撃緩和部が設けられていることを特徴としている。
【０００６】
請求項２に係る容器兼用注射器は、請求項１に記載の容器兼用注射器において、前記衝撃緩和部が、前記シリンダの軸線に直交する方向に向け前記嵌着部に一体に形成された環状のリブであることを特徴としている。
請求項３に係る容器兼用注射器は、請求項２に記載の容器兼用注射器において、前記環状のリブが、前記嵌着部の後端に位置して設けられていることを特徴としている。
【０００７】
請求項４に係る容器兼用注射器は、請求項１に記載の容器兼用注射器において、前記衝撃緩衝部が前記嵌着部に密着して被着された軟質の衝撃吸収性を有する合成樹脂材料で形成された円筒状カバーであることを特徴としている。
請求項５に係る容器兼用注射器は、請求項１に記載の容器兼用注射器において、前記衝撃緩和部が、前記嵌着部にその外周部との間に所定の隙間をあけて被着された硬質の合成樹脂材料で形成された円筒状カバーであることを特徴としている。
【０００８】
請求項６に係る容器兼用注射器は、請求項５に記載の容器兼用注射器において、前記円筒状カバーの両端部には、前記嵌着部の両端側においてその中心側に向く環状フランジが設けられ、一方の環状フランジは内径が前記筒先の円筒部に嵌着し得る大きさとされた装着穴を有し、他方の環状フランジは前記一方のフランジ寄りの内径が前記嵌着部の外径より小さくされ、一方のフランジから離れた側の内径が前記嵌着部の外径より大きくされたテーパ状の挿通穴を有していることを特徴としている。
【発明の効果】
【０００９】
本発明によれば、以下の優れた効果を奏する。
請求項１に係る容器兼用注射器によれば、容器兼用注射器が落下された場合には、筒先のシリンダに対する嵌着部の外周に衝撃緩和部が設けられているので、該衝撃緩和部が落下によるシリンダの先端部に加わる衝撃を緩和し、衝撃によりシリンダの横断面が楕円形状に変形する変形量を小さく抑えることができ、これにより、通常予想できない外部からの衝撃的な応力が加わっても、ガラス製シリンダの先端にヒビが発生するのを可及的に防止することができる。
【００１０】
請求項２に係る容器兼用注射器によれば、容器兼用注射器が落下された場合には、筒先の嵌着部の外周に設けた環状のリブが、シリンダの先端部に加わる衝撃を緩和し、ガラス製シリンダの先端部にヒビが発生するのを効果的に防止することができる。
請求項３に係る容器兼用注射器によれば、筒先の嵌着部の外周の後端に設けた環状のリブが、容器兼用注射器の落下による衝撃がシリンダの先端部に直接的に加わるのを回避させるので、ガラス製シリンダの先端にヒビが発生するのを一層効果的に防止することができる。
請求項４に係る容器兼用注射器によれば、筒先の嵌着部に密着して被着された軟質の衝撃吸収性を有する円筒状カバーが、シリンダの先端部に衝撃が発生するのを効果的に防止することができ、ガラス製シリンダの先端にヒビが発生するのを確実に防止することができる。
【００１１】
請求項５に係る容器兼用注射器によれば、容器兼用注射器が落下された場合には、筒先の嵌着部に隙間をあけて被着された円筒状カバーが、自体の変形によって衝撃を吸収するので、シリンダの先端部に衝撃が伝わるのを抑えることができ、ガラス製シリンダの先端にヒビが発生するのを確実に防止することができる。
請求項６に係る容器兼用注射器によれば、テーパ状の挿通穴を介して円筒状カバーの筒先の嵌着部への装着を容易に行うことができると共に、前後端部のフランジによって円筒状カバーを筒先の嵌着部に確実に保持させることができる。
【発明を実施するための最良の形態】
【００１２】
以下、本発明の実施の形態に係る容器兼用注射器について、添付図面を参照して説明する。
図１、図２は本発明の第１の実施の形態に係る容器兼用注射器１を示す。この容器兼用注射器１は、ガラス製の円筒形のシリンダ２と、該シリンダの先端部の外周に嵌着されたルアーロック型の筒先３と、前記シリンダ２の後端の外周部に嵌着された合成樹脂製のフィンガーグリップ４と、前記シリンダ２内にその軸方向に往復動可能に挿入されてシリンダ２内に充填された薬液（薬剤）を封止する前、後部のストッパー５ａ，５ｂと、前記シリンダ２内にその後端から挿入されて先端部を前記後部のストッパー５ｂに連結され、該後部のストッパー５ｂをシリンダ２の軸方向に往復動させるプランジャーロッド６とを備えている。
なお、前記筒先３は、ルアーロック型のものに代えてルアーチップ型のものとしてもよい。
【００１３】
前記筒先３は、透明な合成樹脂材料で構成され、図２に示すように、前記シリンダ２の内径と等しいか僅かに大きい内径を有し前記前部のストッパー５ａが入り込む内室７ａを設けた円筒部７と、該円筒部７の先端に一体に形成され、内孔が前記内室７ａに連通された注射針の取付部である円筒状のルアーロック部８と、前記円筒部７の後端にそれより大径として一体に形成された円筒状の嵌着部９と備え、該嵌着部９の内穴９ａを前記シリンダ２の先端部２ａの外周に嵌合してシリンダ２に嵌着されている。
そして、前記筒先３の嵌着部９の外周には、その軸線方向（シリンダ２の軸線方向）の後端に位置して、前記軸線に直交する方向（周方向）に向けて一条の環状のリブ（衝撃緩衝部）１０が直径方向の外側に突出して（嵌着部９の外径より大径として）一体に形成されている。
【００１４】
前記リブ１０の大きさは、前記シリンダ２の外周部の直径によって適宜調整することができるが、前記嵌着部９の外周からの高さが０．５〜５ｍｍ（嵌着部９の外径より１．０〜１０ｍｍだけ大径）に設定され、厚さ（前記軸線方向の幅）が０．５〜３ｍｍに設定されている。前記設定範囲の大きさにリブを設定すると、容器兼用注射器の取扱時の衝撃によりガラス製のシリンダ２の先端２ｂへ作用する外力を緩和できると共に、筒先３の成形もし易く、製品の外観上の見映えを損なわず、製品の使用上邪魔になることがない。前記設定範囲の下限に満たない範囲であると、ガラス製のシリンダ２の先端２ｂへ作用する外力の緩和が期待できなく、前記設定範囲の上限を超えると、外観上特異に見え、使用上扱いにくくなる等の問題が生じてくる。
なお、図中１１は、前記筒先３のルアーロック部８に装着したキャップであり、注射針をルアーロック部８に装着するまで、筒先３内を気密に密閉している。
【００１５】
前記のように、容器兼用注射器１における筒先３のシリンダ２に対する嵌着部９の外周に、その軸方向の後端に位置して環状のリブ１０を衝撃緩衝部として設けると、包装した容器兼用注射器１が流通の途上や医療現場での取り扱いにおいて、高所から乱暴に収納箱等に落下投入したり、収納箱からテーブル上等に落下排出したような場合、前記筒先３の嵌着部９の外側に突出しているリブ１０が収納箱の底板やテーブルの上面に衝突して、筒先３の嵌着部９に衝撃的な大きな力が加わると、前記嵌着部９は、その力によって一瞬力の加わった直径方向が扁平に撓んで横断面が楕円形状に弾性変形するが、前記リブ１０による緩衝作用、変形の復元作用によって、ガラス製のシリンダ２に対する変形が可及的に小さく抑えられるので、前記シリンダ２の先端２ｂが楕円形状に大きく変形して、その楕円形状の長辺部の両端に大きな応力が発生し、そこにヒビが入るといった問題を防止することができる。前記リブ１０を嵌着部９の軸線方向の後端に設けた場合、該リブ１０が衝撃を受けてそれを吸収するので、シリンダ２の先端２ｂが直接に衝撃を受けるのを避けることができ、この点からも、シリンダ２の先端２ｂに加わる応力を減らすことができ、ガラス製シリンダ２の先端２ｂにヒビが入るのを効果的に防止することができる。
なお、万一、前記シリンダ２の先端２ｂにヒビが入った場合でも、前記筒先３は透明材料で構成されているので、前記シリンダ２におけるヒビ割れの有無は事前に容易に見分けがつき、不用意に使用されることはない。
【００１６】
前記容器兼用注射器１においては、筒先３の嵌着部９における衝撃緩衝部としての環状のリブ１０を、嵌着部９の軸方向の後端に位置して一条だけ設けたが、該リブ１０を設ける位置や個数は、上記に限らず、他の位置や個数を選定して設けてもよい。
例えば、図３に示すように、前記筒先３の嵌着部９にその軸方向の前端部に位置して一条の環状のリブ（衝撃緩和部）１０ａを一体に設けたり（本願発明の第２の実施の形態に係る容器兼用注射器１Ａ）、図４に示すように、前記円筒部７の先端部外周にリブ１０ａを設けてもよい（本願発明の第３の実施の形態に係る容器兼用注射器１Ｂ）。前記リブ１０ａは前記リブ１０と同一の高さ（外径）、厚さを有している。
なお、図３、図４において、第１の実施の形態に係る容器兼用注射器１と同一の部分には、同一の符号を付して、それらの説明は省略する（以下同様である）。
この第２、第３の実施の形態に係る容器兼用注射器１Ａ，１Ｂの場合も、第１の実施の形態に係る容器兼用注射器１における場合と略同様な作用効果を奏することができる。
【００１７】
また、図５、図６に示すように、前記リブ１０，１０ａと同一の高さを有する一対の環状のリブ（衝撃緩和部）１０ｂ，１０ｃを、前記嵌着部９の軸方向の前端部と中央部とに設けた構成（本発明の第４の実施の形態に係る容器兼用注射器１Ｃ）としたり、前記嵌着部９の前端部と後端部に設けた構成（本発明の第５の実施の形態に係る容器兼用注射器１Ｄ）としたり、図７に示すように、前記リブ１０，１０ａをそれぞれ前記嵌着部９の後端と前記円筒部７に、例えば、その前端に設けた構成（本発明の第６の実施の形態に係る容器兼用注射器１Ｅ）とすることができる。これらの実施の形態に係る容器兼用注射器１Ｃ，１Ｄ，１Ｅにおいても、第１〜第３の実施の形態に係る容器兼用注射器１，１Ａ，１Ｂにおける場合と略同様な作用効果を奏することができる。
さらに、前記筒先３の嵌着部９に３条以上のリブを設けたり、嵌着部９の軸方向に直交する周方向リブに加えて軸方向に沿うリブを周方向に間隔をあけて設けたり、軸方向に傾斜して交差したリブを嵌着部９の前後端に設けた周方向のリブの間に配して嵌着部９の全域にわたってリブを設けることもできる。
【００１８】
次に、図８は本発明の第７の実施の形態に係る容器兼用注射器１Ｆを示す。
この容器兼用注射器１Ｆは、第１〜第６の実施の形態に係る容器兼用注射器１〜１Ｅにおける筒先３の嵌着部９や円筒部７に一体に設けたリブ１０，１０ａ，１０ｂに代えて、前記筒先３の嵌着部９の外周に衝撃吸収性を有する円筒状カバー（衝撃緩和部）１２を被着したものであり、その他の構成は第１〜第４の実施の形態に係る容器兼用注射器１〜１Ｃと同様であるので、同一の部分には同一の符号を付して、それらの説明は省略する。
前記円筒状カバー１２は、軟質塩化ビニール、ポリエチレン、ポリプロピレン等の透明で軟質の合成樹脂やゴム等の材料で成型品として構成され、肉厚を０．５〜３．０ｍｍとした円筒形の胴部１２ａの先端部（図６で左端部）に、中心側に向けて突出した環状フランジ１２ｂを一体に形成してなり、前記筒先３の先端側から嵌着部９に向けて該嵌着部９の前側段部９ｂに前記環状フランジ１２ｂの内側面が当接するまで挿通され、嵌着部９の外周に密着して被着されている。この状態では、前記環状フランジ１２ｂの内穴１２ｃは筒先３の円筒部７の外周部に密に嵌合されている。
【００１９】
この実施の形態に係る容器兼用注射器１Ｆによれば、容器兼用注射器１Ｆが落下して筒先３の嵌着部９に衝撃的な大きな力が加わっても、筒先３の嵌着部９に密着して被着された軟質の衝撃吸収性を有する円筒状カバー１２が、前記衝撃的な力を良好に吸収、緩和してシリンダ２の先端２ｂに衝撃による応力が発生するのを効果的に防止することができ、ガラス製シリンダの先端２ｂにヒビが発生するのを確実に防止することができる。
そして、前記円筒状カバー１２は従来の容器兼用注射器の組立後や薬剤のシリンダ２への充填後に前記筒先３の嵌着部９に被着させることができるので、筒先３の構造を変更したり、従来の容器兼用注射器の製作、組立工程を変更する必要がなく、容器兼用注射器の製造が容易である。なお、前記円筒状カバー１２は、前記のように成型品で構成して前記嵌着部９の外周部に嵌合して被着してもよいが、これに代えて、軟質の合成樹脂やゴム等の材料で形成されたシートもしくはテープを前記嵌着部９の外周部に巻き付けて構成してもよい。この場合も成型品によるものと同様な作用効果を期待することができる。
前記円筒状カバー１２は前記嵌着部９の軸方向の全長にわたって被着されているが、これに代えて、図９に示すように、先端外周に突出する環状のリブ１３ａを有し前記円筒状カバー１２と同一の材料で構成された短尺の円筒状カバー（衝撃緩和部）１３を、その環状フランジ１３ｂの内穴１３ｃを前記円筒部７に嵌合させて、前記嵌着部９の先端側の外周に被着するようにしてもよい（本発明の第８の実施の形態に係る容器兼用注射器１Ｇ）。前記リブ１３ａは円筒状カバーの前端に設けずに後端に設けてもよいし、省略することもできる。この実施の形態に係る容器兼用注射器１Ｇにおいても、第７の実施の形態に係る容器兼用注射器１Ｆと同様な作用効果を奏することができる。
【００２０】
次に、図１０は本発明の第９の実施の形態に係る容器兼用注射器１Ｈを示す。
この容器兼用注射器１Ｈは、第７の実施の形態に係る容器兼用注射器１Ｆにおける円筒状カバー１２に代えて、前記筒先３の嵌着部９の外周部に、その外周部との間に所定の隙間ｅをあけて、硬質の合成樹脂材料で形成された円筒状カバー（衝撃緩和部）１４を被着したものであり、その他の構成は第７の実施の形態に係る容器兼用注射器１Ｆと同様であるので、同一の部分には同一の符号を付して、それらの説明は省略する。
前記円筒状カバー１４は、ポリカーボネート、ポリエステル、アクリル樹脂等の硬質の合成樹脂材料からなり、肉厚を０．５〜３．０ｍｍとした円筒形の胴部１４ａの両端部に、前記筒先３の嵌着部９の両端の外側に位置させて中心側に向けて突出した環状フランジ１４ｂ，１４ｃを一体に形成して構成されている。
【００２１】
前記胴部１４ａは、シリンダ２の直径の大きさによって適宜に選択し得るが、その内径が前記嵌着部９の外径より０．１〜２ｍｍだけ大きくされ、胴部１４ａの内周面と嵌着部９の外周面との間に隙間ｅがあけられるようになっている。また、前側（一方）の環状フランジ１４ｂは、内径が筒先３の円筒部７の外周に緩く嵌合し得る大きさとされた平行な装着穴１４ｄを有し、後側（他方）の環状フランジ１４ｃは、前側の環状フランジ１４ｂ寄りの内端（図７で左端）の内径が前記嵌着部９の外径より小さく、かつ前記円筒部７の外径より十分大きくされ、前側の環状フランジ１４ｂから離れた外端（図７で右端）の内径が前記嵌着部９の外径より大きくされたテーパ状の挿通穴１４ｅを有している。前記テーパ状は、傾斜平面に限るものではなく、凹、凸の曲面状のものを含むものである。
【００２２】
円筒状カバー１４は、後側の環状フランジ１４ｃの挿通穴１４ｅを先に前記筒先３の先端側から嵌着部９に向けて差し込むと、前記挿通穴１４ｅが嵌着部９の前側段部９ｂによってテーパ状面を介して拡径され、胴部１４ａの嵌着部９への挿通を許容し、嵌着部９を通過した後に縮径され、これにより、前記嵌着部９の前後端を各環状フランジ１４ｂ、１４ｃが挟むように位置され、前記円筒状カバー１４が嵌着部９の外側に被着された状態となる。この状態では、前記円筒状カバー１４は、前記嵌着部９の前、後端部に前、後側の環状フランジ１４ｂ，１４ｃの内端面が当接されることにより、軸方向の移動が規制され、前記隙間ｅの範囲内で直径方向（シリンダ２の直径方向）に変形、移動が可能となっている。前記円筒状カバー１４において、前記環状フランジ１４ｃの内面側（図１０で左面側）に、図１１に示すように、前記嵌着部９の後端部外周に嵌合する穴１４ｆを有する嵌合部１４ｇを設けると、円筒状カバー１４を嵌着部９の外周に対して前記隙間ｅを確実に保持して安定した状態で被着させることができる。
【００２３】
この実施の形態に係る容器兼用注射器１Ｈによれば、容器兼用注射器１Ｈが落下された場合には、筒先３の嵌着部９に隙間ｅをあけて被着された円筒状カバー１４が、自体の変形によって衝撃を吸収するので、シリンダ２の先端２ｂに衝撃が伝わるのを抑えることができ、ガラス製シリンダ２の先端２ｂにヒビが発生するのを確実に防止することができる。また、テーパ状の挿通穴１４ｅを介して円筒状カバー１４の筒先３の嵌着部９への装着を容易に行うことができると共に、前、後端部の環状フランジ１４ｂ、１４ｃによって円筒状カバー１４を筒先３の嵌着部９に確実に保持させることができる。
【００２４】
そして、前記円筒状カバー１４は、前記第７、第８の実施の形態に係る容器兼用注射器１Ｆ，１Ｇと同様に、従来の容器兼用注射器の組立後や薬剤のシリンダ２への充填後に前記筒先３の嵌着部９に被着させることができるので、筒先２の構造を変更したり、従来の容器兼用注射器の製作、組立工程を変更する必要がなく、容器兼用注射器の製造が容易である。
なお、前記円筒状カバー１４の胴部１４ａと前記筒先３の嵌着部９の内外径差が、０．５〜１ｍｍの範囲を外れて小さく設定されると、前記衝撃の吸収作用が低下し、ガラス製シリンダ２の先端２ｂにヒビが発生するのを防止する効果が期待できず、また、上記範囲を越えて大きく設定されると、筒先３の部分の形状が不自然に大きくなり、取扱が不便となる。
【００２５】
なお、前記においては、本発明を、シリンダ２の内部に第１、第２ストッパー５ａ，５ｂの間に１つの薬剤を充填、液封してなる容器兼用注射器１〜１Ｅに適用した場合について説明したが、本発明はこれに限らず、シリンダ２の内部に第１、第２ストッパー５ａ，５ｂの間に１つないし複数の中間ストッパーを介在させて、それらのストッパー間に複数の薬剤を充填してなる複数室式容器兼用注射器に適用することもできる。
【図面の簡単な説明】
【００２６】
【図１】本発明の第１の実施の形態に係る容器兼用注射器を示す側面図である。
【図２】同じく要部を一部縦断面で示した拡大側面図である。
【図３】本発明の第２の実施の形態に係る容器兼用注射器の要部を示す側面図である。
【図４】本発明の第３の実施の形態に係る容器兼用注射器の要部を示す側面図である。
【図５】本発明の第４の実施の形態に係る容器兼用注射器の要部を示す側面図である。
【図６】本発明の第５の実施の形態に係る容器兼用注射器の要部を示す側面図である。
【図７】本発明の第６の実施の形態に係る容器兼用注射器の要部を示す側面図である。
【図８】本発明の第７の実施の形態に係る容器兼用注射器の要部を一部縦断面で示す側面図である。
【図９】本発明の第８の実施の形態に係る容器兼用注射器の要部を一部縦断面で示す側面図である。
【図１０】本発明の第９の実施の形態に係る容器兼用注射器の要部を一部縦断面で示す側面図である。
【図１１】同じく要部の変形例を示す部分の縦断面図である。
【符号の説明】
【００２７】
１，１Ａ，１Ｂ，１Ｃ，１Ｄ，１Ｅ，１Ｆ，１Ｇ，１Ｈ  容器兼用注射器
２  シリンダ
２ｂ  シリンダの先端
３  筒先
４  フィンガーグリップ
５ａ，５ｂ  ストッパー
６  プランジャーロッド
７  円筒部
９  嵌着部
１０，１０ａ，１０ｂ，１０ｃ，１３ａ  リブ
１２，１３，１４  円筒状カバー
１２ａ，１４ａ  胴部
１２ｂ，１３ｂ，１４ｂ，１４ｃ  環状フランジ
１４ｄ  装着穴
１４ｅ  挿通穴
ｅ  隙間
【図１】
2006198143.tif 000003
【図２】
2006198143.tif 000004
【図３】
2006198143.tif 000005
【図４】
2006198143.tif 000006
【図５】
2006198143.tif 000007
【図６】
2006198143.tif 000008
【図７】
2006198143.tif 000009
【図８】
2006198143.tif 000010
【図９】
2006198143.tif 000011
【図１０】
2006198143.tif 000012
【図１１】
2006198143.tif 000013